(57)【要約】データパケットを用いてデータを伝送する方法は、データパケットのデータ部を２以上のデータセグメントに分割する工程を含み、各セグメントは対応するチェック部を有する。データパケットは、２以上の論理通信チャンネル上で伝送することもできる。第１の通信チャネルにおけるデータ部の順序は、第２の通信チャネルにおけるデータ部の順序と異なっていてもよい。同一の又は異なるチェック部を、各々のデータ部に付与してもよい。【選択図】図３
2010502075.tif 000002
【特許請求の範囲】
【請求項１】
ヘッダー部、伝送されるデータに関連するデータ部、及びデータ部に関連するパケットチェック部を有するデータパケットを伝送するデータを伝送するための方法であって、
該方法が、
データ部を、データ部の各部に関連する第１及び第２のデータセグメントにセグメント化する工程と、
該第１及び第２のデータセグメントの各々に関連する第１及び第２のセグメントチェック部を提供する工程と、
を含む方法。
【請求項２】
前記第１及び第２のセグメントチェック部が、前記第１及び第２のデータセグメントの各々の内容に応じて生成される、請求項１に記載の方法。
【請求項３】
前記第１及び第２のセグメントチェック部が、各々の第１及び第２のエラーチェックアルゴリズムを用いて生成される、請求項２に記載の方法。
【請求項４】
前記第１及び第２のアルゴリズムが異なる、請求項３に記載の方法。
【請求項５】
前記第１及び第２のアルゴリズムが実質的に同一である、請求項３に記載の方法。
【請求項６】
前記データパケットによって運ばれるデータが、複数の通信チャンネル上を伝送される、請求項１〜５のいずれか１項に記載の方法。
【請求項７】
関連するデータパケット中の伝送されるデータセグメントの順序が、通信チャンネル間で異なる、請求項６に記載の方法。
【請求項８】
前記データパケット内のデータの順序がランダム化される、請求項７に記載の方法。
【請求項９】
第１及び第２チャンネルからの第１及び第２のデータセグメントを用いてデータ部を再構成する工程をさらに含む、請求項６〜８のいずれか１項に記載の方法。
【請求項１０】
最初の伝送工程からの第１のデータセグメント、及び再伝送工程からの第２のデータセグメントを用いてデータ部を再構成する工程をさらに含む、請求項１〜８のいずれか１項に記載の方法。
【請求項１１】
前記方法の工程が、ＯＳＩ階層モデルの第２層レベルに関連する、請求項１〜１０のいずれか１項に記載の方法。
【請求項１２】
ヘッダー部、伝送されるデータに関連するデータ部、及びデータ部に関連するパケットチェック部、を有するデータパケットを伝送及び／又は受信する通信システムに用いる装置であって、
該装置は、データ部の各部に関連する第１及び第２のデータセグメントを含むデータ部、並びに、該第１及び第２のデータセグメントの各々に関連する第１及び第２のセグメントチェック部、を伝送及び／又は受信するように適応する装置。
【請求項１３】
前記第１及び第２のセグメントチェック部を、前記第１及び第２のデータセグメントの各々の内容に応じて生成する手段をさらに含む、請求項１２に記載の装置。
【請求項１４】
前記第１及び第２のセグメントチェック部を生成する手段が、各々の第１及び第２のエラーチェックアルゴリズムを生成する手段を含む、請求項１３に記載の装置。
【請求項１５】
前記第１及び第２のセグメントチェック部を生成する手段が、異なる第１及び第２のエラーチェックアルゴリズムを生成するように適応する、請求項１４に記載の装置。
【請求項１６】
前記第１及び第２のセグメントチェック部を生成する手段が、実質的に同一である第１及び第２のエラーチェックアルゴリズムを生成するように適応する、請求項１５に記載の装置。
【請求項１７】
前記データパケットによって運ばれるデータが、複数の通信チャンネル上を伝送される、請求項１２〜１６のいずれか１項に記載の装置。
【請求項１８】
前記関連するデータパケット中の伝送されるデータセグメントの順序が、通信チャンネル間で異なる、請求項１７に記載の装置。
【請求項１９】
前記データパケットの各データセグメント内のデータの順序をランダム化する手段をさらに含む、請求項１８に記載の装置。
【請求項２０】
第１及び第２のチャンネルからの第１及び第２のデータセグメントを用いてデータ部を再構成する手段をさらに含む、請求項１７〜１９のいずれか１項に記載の装置。
【請求項２１】
最初の伝送工程からの第１のデータセグメント、及び再伝送工程からの第２のデータセグメントを用いてデータ部を再構成する手段をさらに含む、請求項１２〜１９のいずれか１項に記載の装置。
【発明の詳細な説明】
【技術分野】
【０００１】
本願は、通信システム及び方法に関し、詳細には、例えば、超広帯域無線通信システム及び方法などの、パケットベースの通信システム及び方法に関する。
【背景技術】
【０００２】
超広帯域無線は、３．１〜１０．６ＧＨｚという非常に広い周波数帯域にわたってデジタルデータを伝送する無線技術である。ＲＦエネルギーを広い帯域幅にわたって拡散することにより、伝送信号は、従来の周波数選択型のＲＦ技術では事実上検出することができない。しかしながら、伝送電力が低いことにより、通信距離が通常１０〜１５メートル未満に限られてしまう。
【０００３】
ＵＷＢには、ＵＷＢ特性を有するパルス波形から信号を構築する時間領域法（time‐domain approach）、及び、従来のＦＦＴベースの直交周波数分割多重（ＯＦＤＭ）を複数の（周波数）帯域に用いてＭＢ−ＯＦＤＭとする周波数領域変調法（frequency‐domain
modulation approach）の２種類の方法がある。これらのＵＷＢ方法は、いずれも周波数スペクトル内の非常に広い帯域幅を有効範囲とするスペクトル成分を発生させるもので、従って超広帯域という用語になるのだが、その帯域幅は、中心周波数の２０パーセント超、通常は少なくとも５００ＭＨｚを占める。
【０００４】
このような超広帯域の特性は、非常に広い帯域幅と相まって、ＵＷＢが、家庭又は職場環境における高速無線通信を提供する理想的な技術であることを意味しており、その環境では、通信機器が互いに２０ｍの範囲内にある。
【０００５】
図１は、超広帯域通信用マルチバンド直交周波数分割多重（ＭＢ−ＯＦＤＭ）システムにおける周波数帯域の配置を示す。ＭＢ−ＯＦＤＭシステムは、各々５２８ＭＨｚである１４のサブバンドを含み、アクセス方式として、サブバンド間を３１２ｎｓ毎にホッピングする周波数を用いる。各サブバンド内では、ＯＦＤＭ、及びＱＰＳＫ又はＤＣＭコーディングを用いてデータが伝送される。およそ５ＧＨｚ、現在５．１〜５．８ＧＨｚのサブバンドが、例えば、８０２．１１ａ無線ＬＡＮシステム、警備機関の通信システム、又は航空業界などの既存の狭帯域システムへの干渉を避けるために未使用で残されていることに注意を要す。
【０００６】
１４のサブバンドは、５つのバンドグループで構成されており、４つのバンドグループは５２８ＭＨｚのサブバンドを３個有し、１つのバンドグループが５２８ＭＨｚのサブバンドを２個有す。図１に示すように、第一のバンドグループは、サブバンド１、サブバンド２、及びサブバンド３を含む。ＵＷＢシステムの一つの例では、バンドグループのサブバンド間をホッピングする周波数を使用し、それによって、第１のデータシンボルは、バンドグループの第１の周波数サブバンド内の１の３１２．５ｎｓの長さの時間間隔内で伝送され、第２のデータシンボルは、バンドグループの第２の周波数サブバンド内の第２の３１２．５ｎｓの長さの時間間隔内で伝送され、第３のデータシンボルは、バンドグループの第３の周波数サブバンド内の第３の３１２．５ｎｓの長さの時間間隔内で伝送される。従って、各時間間隔の間、データシンボルは、例えば、３９６０ＭＨｚを中心周波数とする５２８ＭＨｚのベースバンド信号を有するサブバンド２など、５２８ＭＨｚの帯域幅を有する各々のサブバンド内で伝送される。
【０００７】
このような超広帯域の技術的特性は、これが、データ通信の分野でのアプリケーションに採用されつつあることを意味している。例えば、以下の環境において、ケーブルの代替に焦点を合わせた種々のアプリケーションが存在する。
−ＰＣとその周辺機器、すなわち、ハードディスクドライブ、ＣＤライター、プリンター、スキャナー、などの外部装置との間の通信
−テレビ、無線手段で接続するデバイス、ワイヤレススピーカー、などのホームエンターテイメント
−携帯デバイスとＰＣの間の通信、例えば、携帯電話、ＰＤＡ、デジタルカメラ、ＭＰ３プレイヤー、など
【０００８】
超広帯域通信システムでは、通信シグナルは、データパケットの形で送信基地局及び受信基地局間を伝送される。各々のデータパケットには、へッダー部、データ部（すなわち「ペイロード」）、及び、通常は巡回冗長チェック（ＣＲＣ）に基づくエラーチェック部が含まれる。ペイロードは、送信機から受信機へ送信されるデータに関連している。
【０００９】
添付図面中の図２（例示目的のみ）は、シンプルな無線通信システム２０を示し、ここで、送信機２２が受信機２４へ信号を伝送する。多くのシステムにおいて、送信機２２と受信機２４との間の伝送のために、多重チャンネル２６、２７が用いられる。ＵＷＢシステム、特に、ＭＢ−ＯＦＤＭシステムに関しては、物理チャンネルは、時間周波数コーディング（Time Frequency Coding）（ＴＦＣ）によって定義される。ＴＦＣでは、時間周波数インターリービング（ＴＦＩ）及び固定周波数インターリービング（ＦＦＩ）の２種類の方法が通常使用される。バンドグループ１〜４の各々においては、（４×）ＴＦＩ及び（３×）ＦＦＩ  ＴＦＣを用いて、各バンドグループにつき７つの物理チャンネルが提供される。バンドグループ５では、ＦＦＩ技術が用いられ、さらに２つの物理チャンネルが提供される。従って、図１に示すＭＢ−ＯＦＤＭシステムは、３０の物理チャネルを含むことになる。多くの無線通信システムでは、データロスを最小限に抑えるための単一のユーザ向け基本的ソリューションにおいて、複数の物理チャネルを用いたデータ伝送が行われる。
【発明の概要】
【発明が解決しようとする課題】
【００１０】
既存の通信システムでは、受信するデータパケットがエラーを含む場合拒絶され、結果、そのパケットは失われ、再送の必要が生ずる。従って、このような通信システムでは、システムのサービスの質を向上させるために、失われるデータパケット数を最小限に抑えることが望ましい。
【課題を解決するための手段】
【００１１】
本発明の実施形態は、データパケットをセグメント化し、受信したセグメントからデータパケットを再構成する方法を提供する。データパケットセグメントは、通信システムの各チャンネル上で送信することができ、従って、本発明によれば、データパケットセグメントがエラーであっても、データパケットの再構成が可能となる。
【００１２】
本発明の一つの側面によれば、ヘッダー部、伝送されるデータに関連するデータ部、及び該データ部に関連するパケットチェック部、を含むデータパケットを伝送するデータを伝送するための方法が提供され、該方法は、データ部を、データ部の各部に関連する第１及び第２のデータセグメントにセグメント化する工程、及び該第１及び第２のデータセグメントの各々に関連する第１及び第２のセグメントチェック部を提供する工程、とを含む。
【００１３】
別の側面によれば、ヘッダー部、伝送されるデータに関連するデータ部、及び該データ部に関連するパケットチェック部、を含むデータパケットを伝送及び／又は受信する通信システムに用いるための装置が提供される。該装置は、データ部の各部に関連する第１及び第２のデータセグメントを含むデータ部、並びに該第１及び第２のデータセグメントの各々に関連する第１及び第２のセグメントチェック部を伝送及び／又は受信するのに適応する。
【００１４】
本発明をよりよく理解するために、また、本発明を実施する方法をより明確に示すために、例示目的のみで添付図面について述べる。
【図面の簡単な説明】
【００１５】
【図１】マルチバンドＯＦＤＭアライアンス（ＭＢＯＡ）承認のＭＢ‐ＯＦＤＭシステムの周波数スペクトルを示す。
【図２】通信システムの概略図である。
【図３】本発明を具体化したシステムに使用するためのデータパケットを示す。
【図４】本発明の一つの側面を具体化した方法における工程を示すフローチャートである。
【図５】本発明を具体化したシステムに使用するためのデータパケットのさらなる例を示す。
【図６】本発明を具体化したシステムに使用するためのデータパケットのさらなる例を示す。
【図７】本発明を具体化したシステムに使用するためのデータパケットのさらなる例を示す。
【図８】本発明を具体化したシステムに使用するためのデータパケットのさらなる例を示す。
【発明を実施するための形態】
【００１６】
以下で説明する好適な実施形態が、超広帯域通信システムに関連してなされていることに注意を要す。しかしながら、本発明は、パケットベースの他の通信システムにも用いることができる。
【００１７】
上述のように、図２は、データパケットを、送信機２２から受信機２４へチャネル２６及び２７上で伝送する典型的な通信システムを示す。
【００１８】
ＵＷＢシステムに関しては、物理層サービスデータユニット（すなわち、ＰＨＹサービスデータユニット―ＰＳＤＵ）がコード化され、デバイス間を物理チャンネル上で伝送される。媒体アクセス制御サービスデータユニット（すなわち、ＭＡＣサービスデータユニット‐ＭＤＳＵ）は、ＰＳＤＵ内のＭＡＣエンティティ間を転送される。各ＭＳＤＵは、ＭＳＤＵヘッダーのフレーム制御部に、配信識別情報（Ｉｄ）を有する。配信Ｉｄを用いて、ユーザ優先度（ＰＣＡスキームを用いた非同期データ転送に対して）又はストリームインデックス（Stream Index）（ＤＲＰスキームを用いた同期データ転送に対して）が定義される。
【００１９】
ＯＳＩ階層モデル及び論理リンク制御（ＬＬＣ）として知られるエンティティが考慮される場合、ＭＡＣは、データリンク層を提供し、論理リンク制御部は、リンクＱｏＳの要求に基づき、複数の上位層プロトコルエンティティのＭＡＣ  ＭＳＤＵインターフェイスへのアクセスを許可する多重化／逆多重化インターフェイスを提供する。
【００２０】
論理リンク（ストリームインデックスによって決定される）は、本発明で取り上げるパケットデータユニット（ＰＤＵ）のデータパスレベルを定義する。従って、本技術が、標準的なＯＳＩ参照モデルにおけるデータリンク層（ＭＡＣ）におけるデータフレーム処理に関連していないことは当然である。そうではなく、以下で述べる技術は、ＯＳＩ参照モデルの第２層において用いるように構成される。
【００２１】
図３は、本発明の一つの側面によるデータパケット構造、例えば、データリンク層（ＭＡＣ）によって受信されたものなど、を示す。このデータパケット３００は、ヘッダー部３０１、伝送されるデータに関連するデータ部（ペイロード）３０２、及びエラーチェック部（巡回冗長チェック−ＣＲＣ）３１１を含む。
【００２２】
既存の技術と同様に、ヘッダー部３０１は、データパケットの情報を含んでおり、通信システムを通してデータパケットを正しく伝送することができる。ヘッダー部３０１は、データパケットのサイズ等に関連する情報なども含んでいる。エラーチェック部３１１は、周知の技術に従って、巡回冗長チェックなどの適切なチェックデジットデータ、あるいは他のエラー訂正データを含む。
【００２３】
本発明の実施形態において使用するデータパケット中のデータ部３０２は、送信機から受信機へ伝送されるデータを含む第１及び第２のデータセグメント３０３、３０７を含む。第１及び第２のデータセグメント３０３、３０７は、各々関連するセグメントチェック部３０５及び３０９を有する。セグメントチェック部は、関連するセグメントに対するチェックデータを含み、これにより、本発明の実施形態は、関連するデータセグメントの完全性を確認することが可能となる。チャンネル特性が良くないこと、例えば、干渉や信号の品質など、に起因する伝送エラーによる不慮の変化から保護するためにデータ完全性保護が提供される。ＣＲＣ技術が異なれば、実装の複雑さ（最も一般的には、デジタルハードウェアにおいて）及び保護のレベルが異なる。ＨＣＳにおけるＰＨＹ及びＭＡＣヘッダーの保護に用いられる、数多くの業界規定の技術が存在する（例えば、ＣＣＩＴＴ  ＣＲＣ−１６）（欧州電子計算機工業会標準ＥＣＭＡ‐３６８を参照のこと）。他の一般的なデータ完全性技術には、ＣＲＣ−７及びＣＲＣ−３２（イーサネット（登録商標）に用いられる）がある。本発明が、これらの技術のいずれとも用いることができ、あるいは、実にこれらの技術のいかなる組み合わせとも用いることができるのは当然である。
【００２４】
図３に示す実施形態によれば、第１のデータセグメント３０３に関連するセグメントチェック部３０５、すなわち、Ｒ１、は、第２のデータセグメント３０７に関連するセグメントチェック部３０９、すなわち、Ｒ２、と異なる。あるいは、第１のセグメントチェック部３０５は、第２のセグメントチェック部３０９と同一にしてもよい。
【００２５】
本発明によるデータパケットが、２以上のデータセグメント及び関連するセグメントチェック部を有することができるのは当然である。また、セグメントの長さが、同一であってもよく、又はセグメントによって異なってもよいことは当然である。
【００２６】
ヘッダー部３０１は、データセグメントの数及び長さに関する情報を含む。
【００２７】
図４は、本発明の一つの側面を具体化した方法における工程を示しており、工程４００から開始する。工程４０１において、データパケットがチャンネル「ｎ」に対して受信される。受信されたデータパケットの第１のセグメントに関するエラーチェックが行われ（工程４０２及び４０４）、セグメントがエラーであることが分かった場合は、該セグメントは破棄され、次のセグメントがチェックされる。しかし、第１のセグメントのエラーチェックにより許容可能であることが分かった場合は、第一のセグメントは蓄積され、第２のセグメントのエラーチェックが行われる（工程４０５、４０６）。このプロセスが、受信されたデータパケット内のすべてのセグメントに対して繰り返される（工程４０６）。さらに、このプロセスは、使用可能なすべてのチャンネルに対して繰り返される（工程４０７、４０８、及び４０９）。
【００２８】
上述の技術が、各データパケットセグメントに対して異なるエラーチェックアルゴリズムを使用することができる「保護の多様性（protection diversity）」を提供することは当然である。これにより、データパケット内において異なるエラーチェック部が伝送される結果となる。良好なセグメントが受信された場合、その良好なセグメントは蓄積され、再伝送が要求され、そして、続いて受信される良好なパケットと対応させることができる。あるいは、十分な帯域幅が使用可能である場合は、パケットを複数のＭＡＣサービスデータユニット（ＭＳＤＵ）上で伝送し、すなわち、再伝送の必要性を回避し、それにより、良好なセグメントを次の良好なＭＳＤＵの残りと組み合わせることによって良好な完全なパケットを再構成することができる。
【００２９】
例えば、ビデオストリーミングやオーディオストリーミングなど、のアイソクロナスアプリケーションにおいては、部分的に損なわれただけの状態で受信された場合には、ペイロード全体を廃棄せずに、最後の良好なセグメントを繰り返すことも可能である。不良セグメントを「ブランク」とするように決定することも可能である（それまでの不良セグメントの数及びアプリケーションの感度による）。これらの技術はすべて、干渉又はパケットの損傷のユーザに知覚される影響を低減するという効果を有する。
【００３０】
本発明のさらなる側面によると、上述のセグメント化技術は、例えば、データリンク層（ＭＡＣ）などからのエラーのないデータパケット配信の可能性を向上させるために、複数の論理チャンネルと組み合わせて用いられる。すなわち、保護の可能性を強化するために、データパケット内のデータを２つの別個のデータパケットで送信することができ、各々のデータパケットは、その中のデータセグメントに対するセグメントチェックアルゴリズムの組み合わせを利用する。上述のように、セグメント化されたペイロードを用いる場合、従って、以下でより詳細に述べるように、他の形の保護及びエラー訂正をこの技術の中に組み込むことが可能である。
【００３１】
図５は、第１のパケット５００１が、ヘッダー部５０１１、第１のデータセグメント５０３１、第１のセグメントチェック部５０５１、第２のデータセグメント５０７１、第２のセグメントチェック部５０９１、及び冗長チェック部５１１１を有する一例を示す。第２のデータパケット５００２は、同様のヘッダー部、データ部、及びエラーチェック部を有する。各データパケットは、データの第２の部分ＳＥＧ２より先にデータの第１の部分ＳＥＧ１を伝送する。しかし、図示した例では、第１のパケット５００１のセグメントチェック部５０５１、５０９１の配置は、以下に示すように、第２のパケット５００２のセグメントチェック部５０５２及び５０９２の配置と異なっている。
【００３２】
第１のパケット５００１では、第１のデータセグメント５０３１に対するセグメントチェック部５０５１は、エラーチェックアルゴリズム「Ｒ１」を含む。しかし、第２のパケット５００２では、第１のデータセグメント５０３２に対するセグメントチェック部５０５２は、エラーチェックアルゴリズム「Ｒ２」を含む。同様に、第１のパケット５００１では、第２のデータセグメント５０７１に対するセグメントチェック部５０９１は、エラーチェックアルゴリズム「Ｒ２」を含み、一方、第２のパケット５００２では、第２のデータセグメント５０７２に対するセグメントチェック部５０９２は、エラーチェックアルゴリズム「Ｒ１」を含む。
【００３３】
エラーチェックアルゴリズムを挿入する、又は各々のデータセグメントと交換する方法が、受信機においてエラーのないパケットを回復することができる可能性を高めることになることは当然である。これは、第１のパケット５００１内の第１のデータセグメントＳＥＧ１の検出不全を、第２のデータパケット５００２からデータＳＥＧ１を回復する能力によって補うことができることによるものであり、第２のデータセグメントＳＥＧ２に対しても同様である。
【００３４】
図６は、データパケット内でデータ部ＳＥＧ１とＳＥＧ２の出現する順序が２つのチャンネル６００１及び６００２で異なるさらなる例を示す。第１のデータパケット６００１では、第１のデータセグメント６０３１に対するデータ（すなわち、ＳＥＧ１）は、第２のデータセグメント６０７１に対するデータ（すなわち、ＳＥＧ２）より先に出現する。一方、第２のパケット６００２では、第２のデータセグメントＳＥＧ２が、第１のデータセグメントＳＥＧ１より先に出現する。図６に示す例では、セグメントチェック部６０５１、６０９１、６０５２、６０９２の各々は、同じエラーチェックアルゴリズム「Ｒ１」を含むように示されている。しかし、他の組み合わせも用いることが可能であるのは当然である。
【００３５】
例えば、セグメントチェック部６０５１及び６０９２が、エラーチェックアルゴリズム「Ｒ１」を含み、一方、セグメントチェック部６０５２及び６０９１がエラーチェックアルゴリズム「Ｒ２」を含んでもよく、又はその逆であってもよい。あるいは、セグメントチェック部６０５１及び６０９１が、エラーチェックアルゴリズム「Ｒ１」を含み、一方、セグメントチェック部６０５２及び６０９２がエラーチェックアルゴリズム「Ｒ２」を含んでよく、又はその逆であってもよい。当業者であれば分かるように、さらなる組み合わせも可能である。
【００３６】
図７は、第１のパケット７００１が、ヘッダー部７０１１、第１のデータセグメント７０３１、第１のセグメントチェック部７０５１、第２のデータセグメント７０７１、第２のセグメントチェック部７０９１、及び冗長チェック部７１１１、を有するさらなる例を示す。第２のデータパケット７００２は、同様のヘッダー部、データ部、及びエラーチェック部を有する。２つのチャンネル７００１及び７００２上を伝送されるパケットは以下の点で異なっている。すなわち、第１のデータパケット７００１では、データの第１の部分ＳＥＧ１が、第１のデータセグメント７０３１内及び第２のデータセグメント７０７１内に出現し、一方、第２のパケット７００２は、第１のデータセグメント７０３２及び第２のデータセグメント７０７２内に出現するデータの第２の部分ＳＥＧ２を含んでいる。
【００３７】
図７に示す例では、セグメントチェック部７０５１、７０９１、７０５２、７０９２の各々は、同じエラーチェックアルゴリズム「Ｒ１」を含むように示されている。しかし、上述のように、その他の組み合わせも用いることができるのは当然である。例えば、セグメントチェック部７０５１及び７０９２がエラーチェックアルゴリズム「Ｒ１」を含み、一方、セグメントチェック部７０５２及び７０９１がエラーチェックアルゴリズム「Ｒ２」を含んでもよく、その逆も同様である。あるいは、セグメントチェック部７０５１及び７０９１が、エラーチェックアルゴリズム「Ｒ１」を含み、一方、セグメントチェック部７０５２及び７０９２が、エラーチェックアルゴリズム「Ｒ２」を含んでもよく、その逆も同様である。ここでも、さらなる組み合わせが可能であることは当然である。
【００３８】
従って、データセグメントの内容は、種々の論理チャンネルにおいて受信されたデータパケット内の様々な位置に存在することができる。このことも、やはり、データをエラーのない状態で取得する機会を増加させる。
【００３９】
上述の時間ダイバーシティ技術に対する機能強化は、各論理チャンネル上のデータパケットのデータ部内にあるセグメントデータの位置をランダム化することである。例えば、図８は、ヘッダー部８０１１、データセグメント８０３１、及びチェック部８１１１を有する第１のパケット８００１を示す。第２のパケット８００２は、ヘッダー部８０１２、データセグメント８０３２、及びチェック部８１１２を含む。第１のパケット８００１のデータセグメント８０３１内のデータＳＥＧ１と、第２のパケット８００２のデータセグメント８０３２内のデータＳＥＧ１＊とは異なっており、データＳＥＧ１＊が第１のデータセグメント８０３１内のデータと比べてランダム化される。すなわち、ＳＥＧ１＊内のデータビットの順序が、ＳＥＧ１内のデータビットの順序と比べて変更される。本実施形態では、受信したデータパケットからデータのランダム化された順序を回復するためのアルゴリズムが必要である。本発明の本側面において、数多くの公知のランダム化技術のいずれをも用いることができるのは当然である。
【００４０】
上述の本発明が、データ完全性及びリンク耐性（link resistance）を向上させ、それによって、サービスの質の向上及びＲＦ干渉に対する高度の耐性を提供するのは当然である。上述の技術は、伝送電力が大きく制限されるＵＷＢ通信システムにおいて特に有利であるが、これに限定されるものではない。
【００４１】
本発明によるデータパケットは、複数の論理チャンネル上で受信されたＰＤＵがすべてエラーを含む可能性がある場合に、受信機がエラーのないＰＤＵを選択して再構成できることにより、データ完全性及びサービスの質を向上させる。
【００４２】
パケットデータを伝送する改良された方法を提供することに加えて、本発明は、通信システムに用いる改良された装置をも提供する。
【００４３】
上述のように、好適な実施形態に関連して述べた技術は、ＯＳＩ階層モデルの第２層レベルで用いることが意図されている。
【００４４】
上述の実施形態は、本発明を説明するものであって、限定するものではないこと、及び、当業者であれば、添付の特許請求の範囲の要旨を逸脱しない範囲で、他の多くの実施形態を設計することが可能であるということ、に注意を要する。「含む（ｃｏｍｐｒｉｓｉｎｇ）」という単語は、特許請求の範囲に記載のもの以外の要素や工程の存在を除外するものではなく、「１の（ａ）」又は「１の（ａｎ）」は、複数を除外するものではない。特許請求の範囲内のいずれの引用符号も、その範囲を限定するように解釈してはならない。
【図１】
2010502075.tif 000003
【図２】
2010502075.tif 000004
【図３】
2010502075.tif 000005
【図４】
2010502075.tif 000006
【図７】
2010502075.tif 000007
【図８】
2010502075.tif 000008
【国際調査報告】
2010502075.tif 000009
2010502075.tif 000010
2010502075.tif 000011